(57)【要約】【課題】排水系内が負圧になることによって生じる影響を効果的に低減する。【解決手段】一時貯留槽５０を含む排水系内が負圧になった場合でも、メンブレンバルブ８０を通じて空気を吸引できる。これに加えて、通気管３０を通じて排水立て管から空気を吸い込むことができ、排水系内の負圧が効果的に解消される。  これにより、排水系内が負圧になることによって生じる排水騒音が解消される。また、洗濯機１６Ｂの排水トラップより封水を引っ張って破封させることも抑制できる。【選択図】図３
2010031546.tif 000002
【特許請求の範囲】
【請求項１】
複数の水廻り器具からの排水を一時的に貯留する一時貯留槽と、
前記一時貯留槽に接続され、サイフォン力を発生させて前記一時貯留槽からの排水を誘導するサイフォン排水管と、
前記複数の水廻り器具の少なくとも１つに対して配置され、該水廻り器具からの流体を前記一時貯留槽へ通過させると共に前記一時貯留槽から前記水廻り器具へは流体を通過させない逆止弁と、
前記サイフォン排水管で誘導された排水が流入する排水立て管と、
前記一時貯留槽に接続され、前記一時貯留槽と前記排水立て管との間で通気を可能にする通気管と、
を備えたサイフォン排水システム。
【請求項２】
前記複数の水廻り器具のうち、前記逆止弁が配置されていない水廻り器具に対して、水封式の排水トラップが配置され、
前記逆止弁は、前記排水トラップが破封する負圧力よりも小さい負圧力で開放されて該水廻り器具からの空気を前記一時貯留槽へ通過させる請求項１に記載のサイフォン排水システム。
【請求項３】
前記逆止弁は、前記水廻り器具としての洗面台に対して配置されている請求項１又は請求項２に記載のサイフォン排水システム。
【請求項４】
前記逆止弁は、
弾性材料で形成され、上流側が常時開口しており、下流側が開閉可能とされ、かつ自由状態では閉じている請求項１〜３のいずれか１項に記載のサイフォン排水システム。
【請求項５】
前記逆止弁は、
筒状に形成され、上流側が常時開口しており、下流側が開閉可能とされ、かつ自由状態では閉じている請求項１〜３のいずれか１項に記載のサイフォン排水システム。
【請求項６】
前記逆止弁は、
弾性材料で筒状に形成され、上流側が常時開口しており、下流側が開閉可能とされ、かつ自由状態では閉じているメンブレンバルブを備えて構成されている請求項１〜３のいずれか１項に記載のサイフォン排水システム。
【発明の詳細な説明】
【技術分野】
【０００１】
本発明は、サイフォン力を利用して排水するサイフォン排水システムに関する。
【背景技術】
【０００２】
従来の排水システムはいわゆる勾配排水システムであり、排水管は所定の勾配をもって床下に敷設される。このため、水廻り器具の位置と排水立て管との位置関係が遠い位置にあり排水管が長い場合には、スラブ面から床面までの高さを十分取る必要があり、その分部屋の高さが低くなり居住性が悪くなる。
【０００３】
かかる勾配排水システムに代わって近年になりサイフォン排水システムが提案されている（特許文献１）。このサイフォン排水システムの概要は、排水立て管と、水廻り器具からのサイフォン排水管（横引き管）と、５０ｃｍ以上の水頭をもつ合流部と、からなり、横引き管がそのまま前記合流部へ接続される排水システムである。そして、横引き管内の水は水頭差の分だけサイフォン力が発生し、横引き管内の水を排水するシステムである。
【特許文献１】特開２０００−２９７２４４号公報
【０００４】
しかしながら、キッチン、洗濯機、ユニットバス、浴槽等のように多量の水が一度に流れる排水にあっては、処理流量が足りない場合には排水後暫くすると、排水口から排水が溢れてくるし、サイフォン起動までのタイムラグが大きいと排水直後に、排水口から排水が溢れてくることとなる。この不具合を解消する手段として、前者のケ−スについては配管本数を複数本にすることで対応し、後者については貯留槽を設置して排水のタイムラグ分を貯留することが考えられる。この貯留槽を用いる方式には、一つの水廻り器具に一つ取り付ける単流型と、複数の水廻り器具から排水が流される合流型がある。
【０００５】
ここで後者の貯留槽を設置して対応する例について更に言及すると、貯留槽には各水廻り器具から排水導管によって排水が一時的に溜められ、その後排水管に流される水回路とされる。このような貯留槽を備えたサイフォン排水システムにあっては、貯留槽内に水が流入し、或いは排水される際に正圧或いは負圧がもたらされることとなる。従って、この現象に対する対策が必要となる。
【０００６】
上記の貯留槽を含む排水系内の正圧及び負圧の圧力変動による影響について言えば、例えばトラップの破封や排水騒音であり、かかる排水系における正圧と負圧とによる夫々の不具合点を下記に例挙する。
【０００７】
ａ）負圧による影響
サイフォン排水中にトラップより空気を吸うためにズーズーという排水騒音を出しながら排水する。排水完了時（まだサイフォンは効いているが、器具からの排水の供給が無くなったとき）は、トラップより封水を引っ張ってしまうので破封を生じさせる。又、器具部分からの排水が完了後も、配管内に排水が残っている間は吸い続けようとし、トラップ部分での排水騒音が発生し続ける。更には、従来の排水方式とは異なり負圧が強いので、排水途中に栓をしたときは抜けなくなったり、物が吸い込まれるおそれがある。一方、洗い流しの際には、間欠サイフォンになり、トラップ部分の水位が上下動することがあるが、この場合、条件が悪いと上下動の中で目皿の部分以上に水が上昇し溢れだしてきたように見えることがある。
【０００８】
ｂ）正圧による影響
主として合流型の貯留槽方式では、サイフォン起動前に例えば浴槽の排水のような急激に多量の排水が流入すると、貯留槽内の空気の抜ける場所が無く、押し出されるように他器具のトラップから噴出しが生じる。一方、洗い流しでは、排水開始直後はサイフォン排水管内やトラップ部分の空気が抜けづらいために初期の排水性が悪くなることがある。その場合、洗面ボウル内に水の滞留が見られる。更に、貯留槽内に水が流入しづらい現象が発生し、貯留槽内が満水になっていないにもかかわらず、防水パンに溢れ出す現象もみられる。
【発明の開示】
【発明が解決しようとする課題】
【０００９】
本発明は、一時貯留槽を含む排水系内が負圧になることによって生じる影響を効果的に低減できるサイフォン排水システムを提供することを課題とする。
【課題を解決するための手段】
【００１０】
本発明の請求項１に係るサイフォン排水システムは、複数の水廻り器具からの排水を一時的に貯留する一時貯留槽と、前記一時貯留槽に接続され、サイフォン力を発生させて前記一時貯留槽からの排水を誘導するサイフォン排水管と、前記複数の水廻り器具の少なくとも１つに対して配置され、該水廻り器具からの流体を前記一時貯留槽へ通過させると共に前記一時貯留槽から前記水廻り器具へは流体を通過させない逆止弁と、を備えている。
【００１１】
この構成によれば、複数の水廻り器具からの排水は、一時貯留槽に一時的に貯留される。このとき、逆止弁が配置された水廻り器具からの排水は、逆止弁を通過して一時貯留槽に貯留される。
逆止弁が、一時貯留槽から前記水廻り器具へ通過させない流体には、少なくとも、空気、臭気、水、細菌が含まれ、一時貯留槽に貯留された排水や一時貯留槽内の臭気は、逆止弁により、その逆止弁が配置された水廻り器具への逆流が防止される。
また、一時貯留槽に貯留された排水は、サイフォン排水管に流入する。サイフォン排水管に流入した排水は、サイフォン排水管で発生したサイフォン力により誘導される。
【００１２】
また、水廻り器具から一時貯留槽に排水が流入して、一時貯留槽内の空気が逃げ場を失って、一時貯留槽を含む排水系内が正圧となった場合でも、通気管を通じて排水立て管へ空気を排出することができ、排水系内の正圧が解消される。これにより、水廻り器具からの排水は、一時貯留槽へスム−ズに流れ込む。
なお、ここでいう排水系内とは、一時貯留槽を含むと共に一時貯留槽よりも上流側でトラップまでの部分をいう。
また、逆止弁が配置されていない水廻り器具の排水トラップの封水を噴出させることも抑制できる。
【００１３】
ここで、請求項１の構成では、サイフォン排水管のサイフォン力によって、一時貯留槽を含む排水系内が負圧になった場合でも、通気管を通じて排水立て管から空気を吸い込むことに加えて、逆止弁から空気を吸い込むことができ、排水系内の負圧が効果的に解消される。
これにより、排水系内の負圧が過度になって、水封式の排水トラップ部分で水と空気を吸うことで生じるズーズーという排水騒音等が解消される。
また、逆止弁が配置されていない水廻り器具の排水トラップより封水を引っ張って破封させることも抑制できる。
【００１４】
本発明の請求項２に係るサイフォン排水システムは、前記複数の水廻り器具のうち、前記逆止弁が配置されていない水廻り器具に対して、水封式の排水トラップが配置され、前記逆止弁は、前記排水トラップが破封する負圧力よりも小さい負圧力で開放されて該水廻り器具からの空気を前記一時貯留槽へ通過させる。
【００１５】
この構成によれば、逆止弁は、水封式の排水トラップが破封する負圧力よりも小さい負圧力で開放され、水廻り器具からの空気を一時貯留槽へ通過させるので、一時貯留槽を含む排水系内が負圧になった場合でも、水封式の排水トラップが破封する前に逆止弁が開放されて逆止弁から空気が吸い込まれるので、水封式の排水トラップの破封を防止できる。
【００１６】
本発明の請求項３に係るサイフォン排水システムは、請求項１又は請求項２に記載の構成において、前記逆止弁は、前記水廻り器具としての洗面台に対して配置されている。
【００１７】
この構成によれば、洗面台で使用された水が、逆止弁を通過して一時貯留槽に排水として貯留される。
ここで、洗面台は、浴槽や洗濯機などの水廻り器具に比べて、長時間排水が続くため洗いの頻度が少ない。
一時貯留槽の圧力変動は、長時間排水が続くため洗い時に生じやすいため、ため洗い時に使用されていることが少ない洗面台に逆止弁を配置することにより、一時貯留槽への給気が必要なときに逆止弁から空気を取り込むことができ、一時貯留槽の負圧を効果的に解消できる。
【００１８】
本発明の請求項４に係るサイフォン排水システムは、請求項１〜３のいずれか１項に記載の構成において、前記逆止弁は、弾性材料で形成され、上流側が常時開口しており、下流側が開閉可能とされ、かつ自由状態では閉じている。
【００１９】
この構成によれば、水廻り器具からの排水は逆止弁に対し、常時開口している上流側から流入する。逆止弁に排水が流入すると、逆止弁には押し広げられる力（水圧）が作用し、閉じていた下流側が開いて排水が下流側へ流れる。
一方、水廻り器具からの排水の流入が停止すると、逆止弁には押し広げられる力（水圧）が作用しなくなるので、該力によって弾性変形されていた下流側は元の様に閉じる。
【００２０】
本発明の請求項５に係るサイフォン排水システムは、請求項１〜３のいずれか１項に記載の構成において、前記逆止弁は、筒状に形成され、上流側が常時開口しており、下流側が開閉可能とされ、かつ自由状態では閉じている。
【００２１】
この構成によれば、水廻り器具からの排水は逆止弁に対し、常時開口している上流側から流入する。筒状に形成された逆止弁に排水が流入すると、逆止弁には押し広げられる力（水圧）が作用し、閉じていた下流側が開いて排水が下流側へ流れる。
一方、水廻り器具からの排水の流入が停止すると、逆止弁には押し広げられる力（水圧）が作用しなくなるので、該力によって変形されていた下流側は元の様に閉じる。
【００２２】
本発明の請求項６に係るサイフォン排水システムは、請求項１〜３のいずれか１項に記載の構成において、前記逆止弁は、弾性材料で筒状に形成され、上流側が常時開口しており、下流側が開閉可能とされ、かつ自由状態では閉じているメンブレンバルブを備えて構成されている。
【００２３】
この構成によれば、水廻り器具からの排水はメンブレンバルブに対し、常時開口している上流側から流入する。筒状に形成されたメンブレンバルブに排水が流入すると、メンブレンバルブには押し広げられる力（水圧）が作用し、閉じていた下流側が開いて排水が下流側へ流れる。
一方、水廻り器具からの排水の流入が停止すると、メンブレンバルブには押し広げられる力（水圧）が作用しなくなるので、該力によって弾性変形されていた下流側は元の様に閉じる。
【発明の効果】
【００２４】
本発明は、上記構成としたので、排水系内が負圧になることによって生じる影響を効果的に低減できる
【発明を実施するための最良の形態】
【００２５】
以下に、本発明に係る実施形態の一例を図面に基づき説明する。
（本実施形態に係るサイフォン排水システムの構成）
まず、本実施形態に係るサイフォン排水システムの構成について説明する。図１は、本実施形態に係るサイフォン排水システムの構成を示す概略図である。
【００２６】
本実施形態に係るサイフォン排水システム１０は、サイフォン力を利用して水廻り器具からの排水を効率よく排出する排水システムである。本実施形態では、サイフォン排水システムを、複数階で構成された集合住宅に用いた例について説明する。なお、サイフォン排水システムは、集合住宅に好適に用いられるが、集合住宅以外の戸建て住宅や工場等にも用いることができる。
【００２７】
本実施形態において、サイフォン排水システム１０は、図１に示すように、排水を下方へ流す排水立て管１２を備えている。この排水立て管１２は、集合住宅の上下方向（縦方向）に延設され、集合住宅の各階の床スラブ１４を貫いている。
【００２８】
集合住宅の各階には、複数の水廻り器具１６が設けられている。複数の水廻り器具１６は、例えば、洗面台１６Ａ、洗濯機１６Ｂ、ユニットバス１６Ｃで構成されている（図３参照）。なお、水廻り器具１６としては、トイレ及び台所流し等であってもよい。
この複数の水廻り器具１６には、水廻り器具１６から排出される排水を流す排水導入管１８の一端がそれぞれ接続されている。
【００２９】
各排水導入管１８の他端は、水廻り器具１６からの排水を一時的に貯留する一時貯留槽５０に接続されている。また、各排水導入管１８は、一時貯留槽５０側が低くなるように勾配をもって配設されていることが好ましい。
【００３０】
一時貯留槽５０の内部には、図２（Ａ）に示すように、貯留空間５２が構成されている。貯留空間５２は、仕切部材５４によって３つの個別貯留部５２Ａ、５２Ｂ、５２Ｃに区画されている。図２（Ｂ）にも示すように、仕切部材５４は、上方で個別貯留部５２Ａ、５２Ｂ、５２Ｃが互いに連通するように、貯留空間５２の最上部よりも若干低い位置までの配置とされている。
【００３１】
水廻り器具１６からの複数の排水導入管１８は、個別貯留部５２Ａ、５２Ｂ、５２Ｃ、にそれぞれ連結されている。具体的には、図３に示すように、洗面台１６Ａに接続された排水導入管１８及び洗濯機１６Ｂに接続された排水導入管１８が、個別貯留部５２Ａに連結され、ユニットバス１６Ｃに接続された排水導入管１８が、個別貯留部５２Ｃに連結される。
【００３２】
一時貯留槽５０の個別貯留部５２Ａ、５２Ｂ、５２Ｃの下流側には、各々にサイフォン排水管２２Ａ、２２Ｂ、２２Ｃが接続されている（これらをまとめて「サイフォン排水管２２」という）。
サイフォン排水管２２は、図１に示すように、一時貯留槽５０に接続される横引き管２４と、この横引き管２４と連通する竪管２６とを備えて構成されている。
【００３３】
横引き管２４は、一時貯留槽５０の下側の側部に接続されて一時貯留槽５０と連通し、一時貯留槽５０内に排出された排水が横引き管２４に流入する構成となっている。
また、横引き管２４は、床スラブ１４上で水平方向に無勾配で配設され、一時貯留槽５０から横引き管２４へ流入した排水を横方向へ流す。
【００３４】
この横引き管２４と連通する竪管２６は、排水立て管１２に沿って、上下方向（鉛直方向）に配設されている。この竪管２６は、横引き管２４から竪管２６へ流入した排水を下方へ流下させることによりサイフォン力を発生させる。
また、竪管２６は、合流部継手４０を介して排水立て管１２と連結されている。合流部継手４０は、竪管２６からの排水を排水立て管１２へ合流させる。
【００３５】
横引き管２４及び竪管２６は、細くなれば、一時貯留槽５０からの排水が満水の状態になりサイフォン力が発生しやすい一方、排水処理量が低下する。従って、横引き管２４及び竪管２６は、サイフォン力の発生のしやすさ及び必要な排水処理量を考慮した上で管の内径が設定され、例えば、２０Ａにされている。
【００３６】
なお、サイフォン排水管２２としては、サイフォン力を発生させる竪管２６を有していればよく、横引き管２４は、必須の構成ではない。
また、一時貯留槽５０に接続されるサイフォン排水管２２は、１つ、２つ、又は４つ以上であってもよい。
また、一時貯留槽５０は、３つの空間に仕切られていたが、２つの空間、４つ以上の空間で仕切られていても良い。また、一時貯留槽５０は、内部に仕切部材５４がなく、内部が単一の空間で構成されていてもよい。
【００３７】
さらに、一時貯留槽５０には、一時貯留槽５０と排水立て管１２との間で通気を可能にする通気管３０が接続されている。図３にも示すように、通気管３０は、個別貯留部５２Ａ、５２Ｂ、５２Ｃ、と各々連通された個別通気部３０Ａ、３０Ｂ、３０Ｃ、及び、個別通気部３０Ａ、３０Ｂ、３０Ｃが合流された１本の合流通気管３０Ｄ、を含んで構成されている。
個別通気部３０Ａ、３０Ｂ、３０Ｃ、は、一時貯留槽５０の上面の個別貯留部５２Ａ、５２Ｂ、５２Ｃに対応する位置に各々連通口を有し、一時貯留槽５０の上側に配管されている。合流通気管３０Ｄは、一端側が合流部継手４０を介して排水立て管１２と連結されており、他端側が個別通気部３０Ａ、３０Ｂ、３０Ｃ、と連結されている。
【００３８】
なお、上記の例では、個別貯留部５２Ａ〜５２Ｃの各々に、通気管３０の個別通気部３０Ａ〜３０Ｃを接続されているが、通気管３０は、個別貯留部５２Ａ〜５２Ｃの各々と連通されていればよく、他の構成とすることもできる。
【００３９】
例えば、図４及び図５（Ａ）、（Ｂ）に示すように、個別貯留部５２Ａ〜５２Ｃを跨ぐように、一時貯留槽５０の上面に凸状の通気部３１を形成し、通気部３１内の通気路３１Ａを、個別貯留部５２Ａ〜５２Ｃと連通させる構成としてもよい。この場合には、個別貯留部５２Ａ〜５２Ｃにおける排水の貯留水位が仕切部材５４を超えた場合でも、通気路３１Ａは閉鎖されることがなく、適切に通気を確保することができる。
【００４０】
また、通気管３０は、図６に示すように、排水導入管１８が接続されていない個別貯留部５２Ｂのみに接続される構成であってもよい。個別貯留部５２Ｂは、個別貯留部５２Ａ、５２Ｃが満水になってから個別貯留部５２Ａ、５２Ｃから排水が流入するため、個別貯留部５２Ｂに通気管３０を接続することにより通気を確保しやすい。
【００４１】
さらに、本実施形態では、通気管３０は、一時貯留槽５０の上面に接続されており、排水が流入しない通気専用となっているが、通気管としては、排水と通気とを兼用する通気管であっても良い。
【００４２】
ここで、本実施形態では、図７（Ａ）、（Ｂ）に示すように、水廻り器具としての洗面台１６Ａからの流体を一時貯留槽５０へ通過させると共に一時貯留槽５０から洗面台１６Ａへは流体を通過させない逆止弁の一例としてのメンブレンバルブ８０が、洗面台１６Ａに対して配置されている。
なお、ここでいう流体には、少なくとも、空気、臭気、水、細菌が含まれる。
【００４３】
メンブレンバルブ８０は、洗面台１６Ａの排水口１７に縦方向に取り付けられており、上流端部８０Ａが上側に配置され、下流端部８０Ｂが下側に配置されている。
洗面台１６Ａの排水口１７には排水導入管１８が接続されており、メンブレンバルブ８０は排水口１７と排水導入管１８との間に配置されている。
【００４４】
メンブレンバルブ８０は、ゴム等の弾性体からなる筒状の成形品であり、自由状態では、上流端部８０Ａ側は図８（Ａ）に示すように、円形に形成されて開口しているが、図７（Ａ）に示すように、下流端部８０Ｂへ向かうにしたがって徐々に潰された形状に形成され、中間部では断面が楕円形とされ、下流端部８０Ｂでは図８（Ｂ）に示すように、軸方向から見て直線状となって互いに対向する内周面が接触して開口が閉じた状態となっている。
【００４５】
下流端部８０Ｂは、開口が開閉可能に閉じており、メンブレンバルブ８０に排水が流入していないときに開口が閉じた状態で維持されるように癖付けられると共に、メンブレンバルブ８０に排水が流入したときに、その水圧で開口するようになっている。
また、メンブレンバルブ８０は、洗面台１６Ａにおいて排水が行われてないときにおいては、上流端部８０Ａから通気可能となり、通気弁として機能する。
【００４６】
なお、逆止弁としては、メンブレンバルブ８０に限られず、ばねやボール等を用いた他方式の逆止弁であってもよい。
また、メンブレンバルブ８０は、洗面台１６Ａに替えて、洗面台１６Ａ以外の水廻り器具１６に配置されていてもよい。また、洗面台１６Ａに加えて、洗面台１６Ａ以外の水廻り器具１６に配置されていてもよい。
【００４７】
また、複数の水廻り器具１６のうち、メンブレンバルブ８０が配置されていない水廻り器具１６に対しては、水封式の排水トラップが配置されている。
具体的には、洗濯機１６Ｂに接続される排水導入管１８は、水封式の排水トラップを有する洗濯防水パンを介して洗濯機１６Ｂに接続されている。また、ユニットバス１６Ｃに接続される排水導入管１８も、同様に、水封式の排水トラップを介してユニットバス１６Ｃと接続されている。
メンブレンバルブ８０は、この水封式の排水トラップが破封する負圧力よりも小さい負圧力で開放されて洗面器１６Ａからの空気を一時貯留槽５０へ通過させるようになっている。
この水封式の排水トラップが破封する負圧力は、具体的には、−４００Ｐａ程度であるため、メンブレンバルブ８０は、絶対値が４００より小さい値の負圧力で開放されることが必須であり、好ましくは、−１５Ｐａ〜−６０Ｐａの範囲で開放されることが望ましい。
【００４８】
（本実施形態のサイフォン排水システム１０の作用）
次に、本実施形態のサイフォン排水システム１０の作用を説明する。
本実施形態のサイフォン排水システム１０では、メンブレンバルブ８０は洗面器１６Ａに対して配置されているので、洗面台１６Ａからの排水は、洗面台１６Ａの排水口１７から排出され、メンブレンバルブ８０に流入する。メンブレンバルブ８０に排水が入り込むと、図７（Ｂ）及び図８（Ｃ）に示すように、メンブレンバルブ８０が水圧によって弾性変形して押し広げられ（メンブレンバルブ８０内側の圧力＞メンブレンバルブ８０の外側の圧力となる）、下流端部８０Ｂが開口して排水が通過し、排水導入管１８を経て一時貯留槽５０に流入する。
【００４９】
洗面台１６Ａの排水導入管１８から一時貯留槽５０へ流入した排水は、この排水導入管１８と連通する個別貯留部５２Ａへ流入する。
なお、排水が流入している間は、メンブレンバルブ８０は水圧で押し広げられて下流端部が開口している。
【００５０】
洗面台１６Ａからの排水の流入が停止すると、メンブレンバルブ８０に作用する内側からの圧力が作用しなくなってメンブレンバルブ８０は、図７（Ａ）及び図８（Ｂ）に示すように、弾性的に元の形状に戻り、メンブレンバルブ８０の下流端部８０Ｂが閉じる。
【００５１】
一方、洗濯機１６Ｂからの排水は、排水導入管１８を経て一時貯留槽５０へ流入する。洗濯機１６Ｂの排水導入管１８から一時貯留槽５０へ流入した排水は、この排水導入管１８と連通する個別貯留部５２Ａへ流入する。
【００５２】
また、ユニットバス１６Ｃからの排水は、排水導入管１８を経て一時貯留槽５０へ流入する。ユニットバス１６Ｃの排水導入管１８から一時貯留槽５０へ流入した排水は、この排水導入管１８と連通する個別貯留部５２Ｃへ流入する。
【００５３】
個別貯留部５２Ａ及び個別貯留部５２Ｃに流入した排水は、個別貯留部５２Ａに接続されたサイフォン排水管２２Ａ及び個別貯留部５２Ｃに接続されたサイフォン排水管２２Ｃから排出される。
サイフォン排水管２２Ａ、２２Ｃへ排出された排水は、無勾配の横引き管２４内を横方向へ流れる。次いで、排水は、竪管２６を流下し、竪管２６におけるサイフォン水頭Ｈｓのポテンシャルエネルギ−により、サイフォン力が発生する。このサイフォン力により、横引き管２４及び竪管２６内の排水が誘導され、その排水が促進される。
【００５４】
ここで、ユニットバス１６Ｃからため流しを行った場合を例にとって説明する。
ユニットバス１６Ｃでため流しを行うと、個別貯留部５２Ｃへ大量の排水が一度に流入する。
【００５５】
個別貯留部５２Ｃへ大量の排水が一度に流入すると、一時貯留槽５０内の空気が逃げ場を失って、一時貯留槽５０を含む排水系内が正圧となる場合がある。排水系内が正圧となった場合でも、通気管３０を通じて排水立て管１２へ空気を排出することができ、排水系内の正圧が解消される。これにより、ユニットバス１６Ｃからの排水は、一時貯留槽５０へスム−ズに流れ込む。また、洗濯機１６Ｂの排水トラップの封水を噴出させることも抑制できる。
【００５６】
そして、個別貯留部５２Ｃに流入した排水は、個別貯留部５２Ｃに接続されたサイフォン排水管２２Ｃから排出される。排水導入管１８からの流入量が、図９（Ａ）に示すように、サイフォン排水管２２Ｃでの排水量を上回ると、個別貯留部５２Ｃの貯留水位が上がる。図９（Ｂ）に示すように、貯留水位が仕切部材５４の上端を超えると、排水は個別貯留部５２Ｃから溢れて、個別貯留部５２Ｂへ流入する。このとき、個別貯留部５２Ｃに接続された個別通気部３０Ｃは、貯留された排水により閉鎖され、個別通気部３０Ｃでの通気が不能となる。
【００５７】
個別貯留部５２Ｂに流入した排水は、サイフォン排水管２２Ｂから排出される。これにより、サイフォン排水管２２Ｃのみで排出していた時と比較して、一時貯留槽５０における全体の排水処理量が増加し、適切に排水を行うことができる。このとき、個別通気部３０Ａ、３０Ｂは閉鎖されていないため、適切に通気を行うことができる。
【００５８】
サイフォン排水管２２Ｃから排水が排出され、このサイフォン排水管２２Ｃでの排水量が一時貯留槽５０へ排水の流入量を超えると、一時貯留槽５０の空気が吸引され、一時貯留槽５０を含む排水系内が負圧となる場合がある。
一時貯留槽５０を含む排水系内が負圧になった場合でも、通気管３０を通じて排水立て管から空気を吸い込むことができる。これに加えて、メンブレンバルブ８０を通じて空気を吸引でき、排水系内の負圧が効果的に解消される。
これにより、排水系内の負圧が過度になって、水封式の排水トラップ部分で水と空気を吸うことで生じるズーズーという排水騒音が解消される。また、洗濯機１６Ｂの排水トラップより封水を引っ張って破封させることも抑制できる。
【００５９】
ここで、メンブレンバルブ８０が配置された洗面台１６Ａは、洗濯機１６Ｂ及びユニットバス１６Ｃなどの水廻り器具に比べて、長時間排水が続くため洗いの頻度が少ない。
一時貯留槽５０の圧力変動は、長時間排水が続くため洗い時に生じやすいため、ため洗い時に使用されていることが少ない洗面台１６Ａにメンブレンバルブ８０を配置することにより、一時貯留槽５０への給気が必要なときにメンブレンバルブ８０から空気を取り込むことができ、一時貯留槽５０の負圧が解消される。
【００６０】
また、本実施形態では、メンブレンバルブ８０が排水トラップ及び通気弁として機能するので、図１０に示すように、排水トラップ（Ｓトラップ）１０２と通気弁１０４とを別体でそれぞれ設けられる構成に比して、部品点数が少なくて済み、コストが低減できる。
【００６１】
また、洗面台１６Ａに対してメンブレンバルブ８０を設置する場合では、床下に排水トラップを設置するユニットバスなど異なり、現在のＳトラップやＰトラップの部分の、床上での設置が可能なので納まりの検討もしなくてよい。
４また、床下の一時貯留槽５０に通気弁を設置した場合と異なり、故障した場合でも容易に交換やメンテナンスが可能である。
【００６２】
また、洗濯機１６Ｂの洗濯防水パンの排水トラップ及びユニットバス１６Ｃの排水トラップは、様々な形状のものが普及しており、それぞれの器具の形状に適した性能を示す様に設計されているので、排水トラップの変更は困難である一方、洗面台１６Ａは使用箇所によって、材質で金属製であったり、樹脂製で合ったりの違いはあるものも、形状は違いがないので、既存の排水トラップのトラップ部分にメンブレンバルブ８０を適用するが容易となる。
本発明は、上記の実施形態に限るものではなく、種々の変形、変更、改良が可能である。
【図面の簡単な説明】
【００６３】
【図１】図１は、本実施形態に係るサイフォン排水システムの構成を示す概略図である。
【図２】図２（Ａ）は、本実施形態に係る貯留槽の内部を示す斜視図であり、図２（Ｂ）は、本実施形態に係る貯留槽の断面図である。
【図３】図３は、本実施形態に係る貯留槽と通気管及び各排水導入管の接続を示す斜視図である。
【図４】図４は、本実施形態に係る貯留槽と通気管の変形例を示す斜視図である。
【図５】図５（Ａ）は図５に示すＡ−Ａの断面図であり、図６（Ｂ）は図に示すＢ−Ｂの断面図である。
【図６】図６は、本実施形態に係る貯留槽と通気管の変形例を示す斜視図である。
【図７】図７は、洗面台に配置されたメンブレンバルブを示すであり、（Ａ）は、メンブレンバルブの下流端部が閉鎖した状態を示し、（Ｂ）は、下流端部が開口した状態を示す。
【図８】図８（Ａ）は、メンブレンバルブを上流側から見た図であり、図８（Ｂ）はメンブレンバルブを下流側から見た図であり、図８（Ｃ）は下流端部が開口したメンブレンバルブを下流側から見た図である。
【図９】図９は、排水が個別貯留部５２Ｃに流入すると共に個別貯留部５２Ｃから溢れた様子を示す図である。
【図１０】図１０は、排水トラップと通気弁とを別体でそれぞれ設けられる比較例の構成を示す部分断面図である。
【符号の説明】
【００６４】
１０   サイフォン排水システム
１２   排水立て管
１６   水廻り器具
１６Ａ 洗面台
２２   サイフォン排水管
３０   通気管
５０   一時貯留槽
８０   メンブレンバルブ（逆止弁）
【図１】
2010031546.tif 000003
【図２】
2010031546.tif 000004
【図３】
2010031546.tif 000005
【図４】
2010031546.tif 000006
【図５】
2010031546.tif 000007
【図６】
2010031546.tif 000008
【図７】
2010031546.tif 000009
【図８】
2010031546.tif 000010
【図９】
2010031546.tif 000011
【図１０】
2010031546.tif 000012